(57)【要約】【課題】袋ナットの雌ねじ部とガスメータの接続口の雄ねじ部のねじの種類が合わなくてもアダプターを用いることで簡単且つ確実に接続できて施工性を向上でき、しかもガスメータの取り付け高さが変らないように接続できるガスメータの接続構造を提供する。【解決手段】周方向に複数に分割した筒状のアダプター１１を袋ナット７と接続口４との間に介装する。筒状のアダプター１１の一端側の小径部１２を袋ナット７内に挿入して小径部１２の外周の雄ねじ部１４に袋ナット７の内周の雌ねじ部８を螺合する。筒状のアダプター１１の他端側の大径部１３内に接続口４を挿入して大径部１３の内周の雌ねじ部１５に接続口４の雄ねじ部５を螺合する。【選択図】　　　　図３
2004028816.tif 000002
【特許請求の範囲】
【請求項１】
ガスメータの入口及び出口の接続口の外周に雄ねじ部を設け、ガス配管のガスメータと接続する接続部の端部に鍔部を設けると共に鍔部の手前で接続部に袋ナットを回転自在に装着し、ガスメータの接続口の端面と接続部の鍔部との間にシールリングを介して突き合わせると共に袋ナットの雌ねじ部を接続口の雄ねじ部に螺合して接続するガスメータの接続構造において、周方向に複数に分割した筒状のアダプターを袋ナットと接続口との間に介装し、筒状のアダプターの一端側の小径部を袋ナット内に挿入して小径部の外周の雄ねじ部に袋ナットの内周の雌ねじ部を螺合し、筒状のアダプターの他端側の大径部内に接続口を挿入して大径部の内周の雌ねじ部に接続口の雄ねじ部を螺合して成ることを特徴とするガスメータの接続構造。
【請求項２】
筒状のアダプターを周方向に２つに分割した半割り構造としたことを特徴とする請求項１記載のガスメータの接続構造。
【請求項３】
一端側に小径部を有し他端側に大径部を有する筒状に形成され、小径部の外周に雄ねじ部が形成されると共に大径部の内周に雌ねじ部が形成され、小径部の雄ねじ部と大径部の雌ねじ部とが異なるねじの種類に形成され、全体が周方向に複数に分割されたことを特徴とするガスメータの接続に用いる接続用アダプター。
【発明の詳細な説明】
【０００１】
【発明の属する技術分野】
本発明は、ガスメータを設置するときガスメータの接続口にガス管を接続する接続構造及びこれに用いる接続用アダプターに関するものである。
【０００２】
【従来の技術及び発明が解決しようとする課題】
一般にガスメータ１を設置する場合、図５に示すようにガス供給業者側からガスメータ１までガスを供給するガス配管２とガスメータ１から使用者側にガスを供給するガス配管２が施してあり、このガス配管２にガスメータ１を接続して設置される。ガス配管２は鋼管等の剛性の高いものであり、夫々のガス配管２の端部から垂下した接続部３は平行に配置され、この一対の接続部３にガスメータ１の入口及び出口の接続口４を接続することによりガスメータ１を吊り下げるように取り付けられる。
【０００３】
図６に示すようにガスメータ１の入口及び出口の接続口４はガスメータ１の上面に突設するように設けてあり、この接続口４の外面に雄ねじ部５を形成してある。図の例では接続口４はガスメータ１の外殻であるケース１ａの上面板と一体に形成されている。接続部３の端部である下端には鍔部６を設けてあり、この鍔部６の上で接続部３に袋ナット７を回転自在に装着してあり、袋ナット７の内周には雌ねじ部８を形成してある。鍔部６の下面側の段部９にはゴム等の弾性体にて形成した環状のシールリング１０を嵌め込んで装着してあり、シールリング１０が接続口４の端面に密着するように押し付け、袋ナット７を接続口４に被せて袋ナット７の雌ねじ部８を接続口４の雄ねじ部５に螺合して締め付けてある。
【０００４】
ところで、ガスメータ１は使用年数により定期的に取り換える必要があるが、ガスメータ１はメーカにより様々なものがあり、ガスメータ１を新しいものと取り換えるときに新しいガスメータ１の接続口４の雄ねじ部５と元々接続部３に付いている袋ナット７の雌ねじ部８とが合わないということが生じることがある。つまり、ねじの種類にはメートルねじ、ウィットねじ、ユニファイねじ等があり、これらにもストレート系ねじとテーパー系ねじがあり、ガスメータ１を取り付けるとき元々接続部３に付いている袋ナット７の雌ねじ部８と新たに取り付けるガスメータ１の接続口４の雄ねじ部５とが合わない場合が生じやすい。
【０００５】
この問題を解決するために袋ナット７と接続口４との間に図７に示すように継ぎ足しのニップル１１′を用いることも考えられる。つまり筒状のニップル１１′の一端側の内周に設けた雌ねじ部１５′を接続口４の雄ねじ部５に螺合して接続口４にニップル１１′を継ぎ足し、ニップル１１′の他端面を鍔部６のシールリング１０に当接し、ニップル１１′の他端側の外周の雄ねじ部１４′に袋ナット７の雌ねじ部８を螺合することが考えられる。このようにすると、一端側に接続口４の雄ねじ部５と同じねじの種類の雌ねじ部１５′を設けると共に他端側に袋ナット７の雌ねじ部８と同じねじの種類の雄ねじ部１４′を設けた継ぎ足しのニップル１１′を用意しておけばガスメータ１の接続ができるが、継ぎ足しのニップル１１′を介装した分だけガスメータ１の取り付け高さが変わるという問題がある。
【０００６】
本発明は上記の点に鑑みてなされたものであり、袋ナットの雌ねじ部とガスメータの接続口の雄ねじ部のねじの種類が合わなくてもアダプターを用いることで簡単且つ確実に接続できて施工性を向上でき、しかもガスメータの取り付け高さが変らないように接続できるガスメータの接続構造及びこれに用いる接続用アダプターを提供することを課題とするものである。
【０００７】
【課題を解決するための手段】
上記課題を解決するための本発明のガスメータの接続構造は、ガスメータ１の入口及び出口の接続口４の外周に雄ねじ部５を設け、ガス配管２のガスメータ１と接続する接続部３の端部に鍔部６を設けると共に鍔部６の手前で接続部３に袋ナット７を回転自在に装着し、ガスメータ１の接続口４の端面と接続部３の鍔部６との間にシールリング１０を介して突き合わせると共に袋ナット７の雌ねじ部８を接続口４の雄ねじ部５に螺合して接続するものにおいて、周方向に複数に分割した筒状のアダプター１１を袋ナット７と接続口４との間に介装し、筒状のアダプター１１の一端側の小径部１２を袋ナット７内に挿入して小径部１２の外周の雄ねじ部１４に袋ナット７の内周の雌ねじ部８を螺合し、筒状のアダプター１１の他端側の大径部１３内に接続口４を挿入して大径部１３の内周の雌ねじ部１５に接続口４の雄ねじ部５を螺合して成ることを特徴とする。
【０００８】
袋ナット７の雌ねじ部８とガスメータ１の接続口４の雄ねじ部５とのねじの種類が合わなくても、袋ナット７の雌ねじ部８に螺合し得る雄ねじ部１４のある小径部１２と接続口４の雄ねじ部５に螺合し得る雌ねじ部１５のある大径部１３とを有するアダプター１１を用意しておけば、アダプター１１を介して袋ナット７と接続口４とを接続でき、ガスメータ１を取り換えるときに元のガスメータ１のねじ種類に左右されずガスメータ１に汎用性を持たすことができる。また筒状のアダプター１１は周方向に複数に分割してあるために接続部３の端部に鍔部６があっても接続部３の外周にアダプター１１の小径部１２を被嵌して袋ナット７の雌ねじ部８に小径部１２の外周の雄ねじ部１４を螺合でき、アダプター１１を介装して接続できる。また上記のようにアダプター１１を介装することでねじの種類の違いに対応するためにガスメータ１を同じ高さ位置に取り付けることができる。
【０００９】
また筒状のアダプター１１を周方向に２つに分割した半割り構造としたことを特徴とすることも好ましい。鍔部６があっても装着できるように分割してあっても２つに分割して一対のアダプター半体１１ａで構成してあるために取り扱いがしやすくて組み立て性がよい。
【００１０】
また本発明のガスメータの接続に用いる接続用アダプター１１は、一端側に小径部１２を有し他端側に大径部１３を有する筒状に形成され、小径部１２の外周に雄ねじ部１４が形成されると共に大径部１３の内周に雌ねじ部１５が形成され、小径部１２の雄ねじ部１４と大径部１３の雌ねじ部１５とが異なるねじの種類に形成され、全体が周方向に複数に分割されたことを特徴とする。このようなアダプター１１を用いることでねじの種類が異なっても上記のようにガスメータ１の接続が容易にできる。
【００１１】
【発明の実施の形態】
ガスメータ１やガス配管２は従来の技術で述べたものと同じであるために説明は省略し、接続部３の袋ナット７の雌ねじ部８とガスメータ１の接続口４の雄ねじ部５とのねじの種類が合わないときの接続について主に述べる。
【００１２】
筒状のアダプター１１は図３、図４に示すように小径部１２と大径部１３とを間に段部１６を介して設けあり、周方向に複数に分割してある。本例の場合、筒状のアダプター１１は周方向に２つに分割した半割り構造にしてあり、一対のアダプター半体１１ａで構成されている。小径部１２は袋ナット７内に挿入し得る程度の外径であり、外面に雄ねじ部１４を有する。大径部１３は袋ナット７の外径と略同じ径にしてあり、大径部１３の内周には雌ねじ部１５を設けてある。大径部１３の外面は袋ナット７と同様に六角形の外観にしてある。
【００１３】
上記小径部１２の雄ねじ部１４と大径部１３の雌ねじ部１５は径は同じであるがねじの種類が異なるものであり、これらのねじの種類の異なるものを組み合わせた複数種のアダプター１１を用意してある。ねじの種類にはメートルねじ、ウィットねじ、ユニファイねじ等があり、これらにもストレート系ねじとテーパー系ねじがあるが、雄ねじ部１４と雌ねじ部１５とはこれらの異なるねじの種類の組み合わせにしてある。例えば、雄ねじ部１４がメートルねじの場合、雌ねじ部１５はウィットねじやユニファイねじにしてあり、雄ねじ部１４がウィットねじの場合、雌ねじ部１５はメートルねじやユニファイねじにしてあり、雄ねじ部１４がユニファイねじの場合、雌ねじ部１５はメートルねじやウイットねじにしてある。
【００１４】
アダプター１１は一対のアダプター半体１１ａで形成してあるが、一対のアダプター半体１１ａを組み合わせたときに互いに位置決め結合できるようになっていることが好ましい。本例の場合、図３（ａ）（ｂ）に示すように一対のアダプター半体１１ａの鍔部２０に相互に嵌合し得る嵌合突部２１と嵌合凹部２２とを設けてあり、一対のアダプター半体１１ａを組み合わせたときに嵌合突部２１と嵌合凹部２２を嵌合結合できるようになっている。
【００１５】
ガスメータ１は定期的に取り換えるが、ガスメータ１を取り外すときは袋ナット７を緩めて接続口４から袋ナット７を外す。新しく取り付けるガスメータ１の接続口４の雄ねじ部５のねじの種類と袋ナット７の雌ねじ部８のねじの種類が同じ場合は、そのまま接続口４の端面を鍔部６のシールリング１０に押し付け、袋ナット７を接続口４の雄ねじ部１５に螺合する。
【００１６】
新しく取り付けるガスメータ１の接続口４の雄ねじ部５のねじの種類と袋ナット７の雌ねじ部８のねじの種類とが異なるときは次のようにアダプター１１を用いて施工する。小径部１２の雄ねじ部１４のねじの種類が袋ナット７の雌ねじ部８と同じで且つ、大径部１３の雌ねじ部１５のねじの種類が接続口４の雄ねじ部５と同じアダプター１１を用い、接続部３の袋ナット７を上に持ち上げた状態で接続部３の外面にアダプター１１を被嵌する。このとき、アダプター１１は２つのアダプター半体１１ａに分割してあるために鍔部６があっても容易に被嵌することができる。またこのとき、嵌合突部２１と嵌合凹部２２とを嵌合するとアダプター１１を所定の形状に保持できる。アダプター１１を被嵌した状態で袋ナット７の雌ねじ部８に小径部１２の雄ねじ部１４を螺合して袋ナット７にアダプター１１を取り付け、ガスメータ１の接続口４の端面を鍔部６のシールリング１０に押し付け、アダプター１１の大径部１３の雌ねじ部１５を接続口４の雄ねじ部５に螺合して図１、図２に示すようにガスメータ１を取り付ける。このように小径部１２の雄ねじ部１４と大径部１３の雌ねじ部１５のねじの種類が異なる複数種のアダプター１１を用意しておけば、既設の袋ナット７に合わせてメーカ等の異なるガスメータ１を容易に取り付けることができ、ガスメータ１の汎用性が広がる。また上記のようなアダプター１１を介してガスメータ１を取り付けるためにアダプター１１を介してもガスメータ１の取り付け高さが変わったりすることがない。
【００１７】
なお、上記例ではアダプター１１を周方向に２分割した例について述べたが、３分割以上に分割してあっても同様に施工できる。
【００１８】
【発明の効果】
本発明は、叙述の如く周方向に複数に分割した筒状のアダプターを袋ナットと接続口との間に介装し、筒状のアダプターの一端側の小径部を袋ナット内に挿入して小径部の外周の雄ねじ部に袋ナットの内周の雌ねじ部を螺合し、筒状のアダプターの他端側の大径部内に接続口を挿入して大径部の内周の雌ねじ部に接続口の雄ねじ部を螺合しているので、袋ナットの雌ねじ部とガスメータの接続口の雄ねじ部とのねじの種類が合わなくても、袋ナットの雌ねじ部に螺合し得る雄ねじ部のある小径部と接続口の雄ねじ部に螺合し得る雌ねじ部のある大径部とを有するアダプターを用意しておけば、アダプターを介して袋ナットと接続口とを接続できるものであって、ガスメータを取り換えるときに元のガスメータのねじ種類に左右されずガスメータに汎用性を持たすことができるものであり、また筒状のアダプターは周方向に複数に分割してあるために接続部の端部に鍔部があっても接続部の外周にアダプターの小径部を被嵌して袋ナットの雌ねじ部に小径部の外周の雄ねじ部を螺合できてアダプターを介装して接続できるものであり、また上記のようにアダプターを介装することでねじの種類の違いに対応するためにガスメータを同じ高さ位置に取り付けることができるものである。
【００１９】
また筒状のアダプターを周方向に２つに分割した半割り構造としてあると、鍔部があっても装着できるように分割してあっても２つに分割して一対のアダプター半体で構成してあるために取り扱いがしやすくて組み立て性がよいものである。
【図面の簡単な説明】
【図１】本発明のアダプターを介してガスメータを取り付けた状態の斜視図である。
【図２】同上の要部を拡大せる斜視図である。
【図３】（ａ）は同上の要部の分解斜視図、（ｂ）は一対の半割り半体を組み合わせた状態の要部の断面図である。
【図４】同上の要部の一部分解断面図である。
【図５】一般的なガスメータの取り付け状態の斜視図である。
【図６】図５の要部を拡大せる断面図である。
【図７】同上のニップルを介して接続した状態の断面図である。
【符号の説明】
１　ガスメータ
２　ガス配管
３　接続部
４　接続口
５　雄ねじ部
６　鍔部
７　袋ナット
８　雌ねじ部
１０　シールリング
１１　アダプター
１２　小径部
１３　大径部
１４　雄ねじ部
１５　雌ねじ部
【図１】
2004028816.tif 000003
【図２】
2004028816.tif 000004
【図３】
2004028816.tif 000005
【図４】
2004028816.tif 000006
【図５】
2004028816.tif 000007
【図６】
2004028816.tif 000008
【図７】
2004028816.tif 000009